(57)【要約】【課題】画像形成装置本体に装着されたプロセスカートリッジの有する感光体が光に曝されるのを低減することのできる画像形成装置を提供する。【解決手段】画像形成装置は、画像形成装置本体と、画像形成装置本体に対し着脱可能に装着され、複数の色のそれぞれの画像を形成するものであって少なくとも感光体を有する複数のプロセスカートリッジと、複数のプロセスカートリッジを開閉可能に覆う開閉部材と、閉状態の前記開閉部材が開状態の方向に力が作用したときに、当該開閉部材を前記複数のプロセスカートリッジのうち少なくとも一つのプロセスカートリッジを取り出すのに必要な開状態に規制する規制部材と、前記少なくとも一つのプロセスカートリッジが取り出された場合に、前記規制部材による規制を解除する解除部材と、を備える。【選択図】図３
2010230936.tif 000002
【特許請求の範囲】
【請求項１】
画像形成装置本体と、
前記画像形成装置本体に対し着脱可能に装着され、複数の色のそれぞれの画像を形成するものであって少なくとも感光体を有する複数のプロセスカートリッジと、
前記複数のプロセスカートリッジを開閉可能に覆う開閉部材と、
閉状態の前記開閉部材が開状態の方向に力が作用したときに、当該開閉部材を前記複数のプロセスカートリッジのうち少なくとも一つのプロセスカートリッジを取り出すのに必要な開状態に規制する規制部材と、
前記少なくとも一つのプロセスカートリッジが取り出された場合に、前記規制部材による規制を解除する解除部材と、
を有することを特徴とする画像形成装置。
【請求項２】
前記解除部材は、
前記開閉部材が当該開閉部材の一方の側を支点として開閉する場合の当該開閉部材の他方の側の最も開放側に対応して位置する前記一つのプロセスカートリッジが前記画像形成装置本体から取り出されたことに起因して前記規制部材による規制を解除する、
ことを特徴とする請求項１記載の画像形成装置。
【請求項３】
前記一つのプロセスカートリッジは、
前記複数の色の中で使用割合の最も高い色の画像を形成するためのプロセスカートリッジである、
ことを特徴とする請求項１または２記載の画像形成装置。
【請求項４】
前記解除部材は、
当該解除部材の先端部で前記規制部材を回転可能に支持し、
前記規制部材は、
前記開閉部材に設けられた突起部と係合して当該開閉部材の開放を規制する方向に対しては固定されるとともに、当該規制する方向とは反対の方向に対しては回転可能に付勢されている、
ことを特徴とする請求項１〜３の何れか一項に記載の画像形成装置。
【発明の詳細な説明】
【技術分野】
【０００１】
本発明は、画像形成装置に関するものである。
【背景技術】
【０００２】
従来、電子写真方式を採用する画像形成装置には、例えばイエロー、マゼンタ、シアン、ブラックなどの各色の画像をそれぞれ形成するための複数のプロセスカートリッジを着脱可能に画像形成装置本体に装着するとともに、前記画像形成装置本体に装着された前記複数のプロセスカートリッジを開閉扉によって覆うようにするものがある。
【０００３】
このように複数のプロセスカートリッジを備える画像形成装置としては、特許文献１および特許文献２に記載されたものが知られている。
【先行技術文献】
【特許文献】
【０００４】
【特許文献１】特開２００５−２９２４３９号公報
【特許文献２】特開２００６−１６３３７９号公報
【発明の概要】
【発明が解決しようとする課題】
【０００５】
本発明は、画像形成装置本体に装着されたプロセスカートリッジの有する感光体が光に曝されるのを低減することのできる画像形成装置を提供することを目的とする。
【課題を解決するための手段】
【０００６】
上記課題を解決するため、請求項１に記載の本発明の画像形成装置は、画像形成装置本体と、前記画像形成装置本体に対し着脱可能に装着され、複数の色のそれぞれの画像を形成するものであって少なくとも感光体を有する複数のプロセスカートリッジと、前記複数のプロセスカートリッジを開閉可能に覆う開閉部材と、閉状態の前記開閉部材が開状態の方向に力が作用したときに、当該開閉部材を前記複数のプロセスカートリッジのうち少なくとも一つのプロセスカートリッジを取り出すのに必要な開状態に規制する規制部材と、前記少なくとも一つのプロセスカートリッジが取り出された場合に、前記規制部材による規制を解除する解除部材と、を有することを特徴とする。
【０００７】
請求項２に記載の発明は、上記請求項１に記載の発明において、前記解除部材は、前記開閉部材が当該開閉部材の一方の側を支点として開閉する場合の当該開閉部材の他方の側の最も開放側に対応して位置する前記一つのプロセスカートリッジが前記画像形成装置本体から取り出されたことに起因して前記規制部材による規制を解除する、ことを特徴とする。
【０００８】
請求項３に記載の発明は、上記請求項１または２に記載の発明において、前記一つのプロセスカートリッジは、前記複数の色の中で使用割合の最も高い色の画像を形成するためのプロセスカートリッジである、ことを特徴とする。
【０００９】
請求項４に記載の発明は、上記請求項１〜３の何れか一項に記載の発明において、前記解除部材は、当該解除部材の先端部で前記規制部材を回転可能に支持し、前記規制部材は、前記開閉部材に設けられた突起部と係合して当該開閉部材の開放を規制する方向に対しては固定されるとともに、当該規制する方向とは反対の方向に対しては回転可能に付勢されている、ことを特徴とする。
【発明の効果】
【００１０】
請求項１記載の発明によれば、画像形成装置本体に装着されたプロセスカートリッジの有する感光体が光に曝されるのを低減することができる。
【００１１】
請求項２記載の発明によれば、非交換対象のプロセスカートリッジの有する感光体が光に曝されるのを保護することができ、交換するときには開閉部材が大きく開放されるので容易に交換できる。
【００１２】
請求項３記載の発明によれば、使用割合の最も高い色以外の他の色の画像を形成するプロセスカートリッジの有する感光体が光に曝されるのを低減することができるとともに、使用割合の最も高い色の画像を形成するプロセスカートリッジの交換を容易にできる。  請求項４記載の発明によれば、開閉部材を容易に閉状態にすることができる。
【図面の簡単な説明】
【００１３】
【図１】第１の実施の形態に係る画像形成装置の概略構成を示す断面図である。
【図２】第１の実施の形態に係る画像形成装置に設けられた開閉扉が開放された状態を示す図である。
【図３】第１の実施の形態に係る画像形成装置に設けられた開閉扉の開放にかかわる規制を説明する図である。
【図４】第１の実施の形態に係る画像形成装置における連結部材に設けられた規制部材と開閉扉に設けられた突起部との関係を説明する図である。
【図５】第１の実施の形態に係る画像形成装置の画像形成装置本体に装着されたプロセスカートリッジの交換を説明する図である。
【図６】第１の実施の形態に係る画像形成装置の画像形成装置本体に装着されたプロセスカートリッジの交換を説明する図である。
【図７】第１の実施の形態に係る画像形成装置の開閉扉を閉める場合の連結部材に設けられた規制部材と開閉扉に設けられた突起部との関係を説明する図である。
【図８】第１の実施の形態に係る画像形成装置に設けられた開閉扉を閉状態にする過程を説明する図である。
【図９】第１の実施の形態に係る画像形成装置に設けられた開閉扉が閉状態になった様子を説明する図である。
【図１０】第２の実施の形態に係る画像形成装置に設けられた開閉扉の開放にかかわる規制を説明する図である。
【図１１】第２の実施の形態に係る画像形成装置の画像形成装置本体に装着されたプロセスカートリッジの交換を説明する図である。
【図１２】第２の実施の形態に係る画像形成装置の画像形成装置本体に装着されたプロセスカートリッジの交換を説明する図である。
【図１３】第２の実施の形態に係る画像形成装置に設けられた開閉扉を閉状態にする過程を説明する図である。
【図１４】第２の実施の形態に係る画像形成装置に設けられた開閉扉が閉状態になった様子を説明する図である。
【図１５】第３の実施の形態に係る画像形成装置に設けられた開閉扉の開放にかかわる規制の解除を説明する図である。
【発明を実施するための形態】
【００１４】
以下、本発明の一例としての実施の形態について、図面に基づいて詳細に説明する。なお、実施の形態を説明するための図面において、同一の構成要素には原則として同一の符号を付し、その繰り返しの説明は省略する。
【００１５】
（第１の実施の形態）
【００１６】
第１の実施の形態に係る画像形成装置について、図１を参照して説明する。
【００１７】
画像形成装置１０は、図１に示すように、画像形成装置本体１２を有し、画像形成装置本体１２の上部には、開閉部材として用いられる開閉扉１４０が開閉可能に装着されている。開閉扉１４０の上部には、画像形成が行われた記録媒体としての用紙が排出される排出部１６が設けられている。
【００１８】
画像形成装置本体１２内には、転写ユニット１８と、像保持体としての感光体２０のそれぞれを備えた４つのプロセスカートリッジ１７０と、４つの感光体２０に潜像を形成する潜像形成手段としての光書き込み装置２４と、定着装置２６と、給紙装置２８とが装着されている。
【００１９】
転写ユニット１８は、画像形成に用いられるとともに、用紙の搬送に用いられる部材であって、帯状の搬送部材として用いられる中間転写ベルト３０を有し、中間転写ベルト３０が、例えば５個の支持ロール３２によって回転するように張架されている。５個の支持ロール３２のうちの少なくとも１個の支持ロール３２が駆動ロールとして用いられ、駆動ロールとして用いられる支持ロールが中間転写ベルト３０に駆動を伝達して中間転写ベルトを図１中に矢印で示す方向に回転駆動させる。また５個の支持ロール３２のうち、駆動ロールとして用いられないものは従動ロールとして用いられ、中間転写ベルト３０に従動して回転する。
【００２０】
また、転写ユニット１８は、１次転写装置として用いられる４個の転写ロール３４を有し、転写ロール３４に転写バイアスが印加されることで、感光体２０に形成された現像剤像（トナー像）が、それぞれ中間転写ベルト３０に１次転写される。
【００２１】
４つのプロセスカートリッジ１７０は、それぞれが画像形成装置本体１２内に着脱可能であり、上述した感光体２０を有し、それぞれが有する感光体２０に現像剤像を形成する。プロセスカートリッジ１７０は、例えば図１中における左側から順にイエロー現像剤像形成用、マゼンタ現像剤像形成用、シアン現像剤像形成用、黒現像剤像形成用となっている。
【００２２】
これ以降の説明においては、イエロー現像剤像形成用、マゼンタ現像剤像形成用、シアン現像剤像形成用、および黒現像剤像形成用のそれぞれのプロセスカートリッジを、プロセスカートリッジ１７０Ｙ、プロセスカートリッジ１７０Ｍ、プロセスカートリッジ１７０Ｃ、およびプロセスカートリッジ１７０Ｋと表記する。
【００２３】
光書き込み装置２４は、走査型のレーザー露光装置が用いられ、感光体２０にレーザーを照射することで感光体２０にそれぞれ潜像を形成する。光書き込み装置２４として、レーザー露光装置を用いることに替えて、ＬＥＤ（Ｌｉｇｈｔ  Ｅｍｉｔｔｉｎｇ  Ｄｉｏｄｅ：発光ダイオード）を用いてもよい。
【００２４】
定着装置２６は、画像形成装置本体１２に対して開閉可能な開閉部２００に支持されており、プロセスカートリッジを交換する際には、開閉扉１４０と開閉部２００を開放して開放された空間を通じて交換する。定着装置２６は、加熱ロール３６と該加熱ロール３６に圧接される加圧ロール３８とを有し、用紙に保持される未定着の現像剤を加熱ロール３６及び加圧ロール３８で加熱し、加圧することで、用紙に定着させる。
【００２５】
給紙装置２８は、用紙が積層して収納される収納容器４０を有する。収納容器４０は、画像形成装置本体１２内から引き出されるようになっており、画像形成装置本体１２から引き出された状態で用紙の補給が行われる。また、給紙装置２８は、ピックアップロール４２及び捌きロール４４を有し、捌きロール４４で捌くことにより用紙の重送を防止しつつ、ピックアップロール４２で収納容器に収納された最上位の用紙をピックアップし、用紙搬送方向下流へと供給する。
【００２６】
給紙装置２８を起点として、画像形成装置本体１２内には用紙搬送路４６が形成されている。そして、画像形成装置本体１２内には、用紙搬送路４６に沿って、用紙の搬送方向上流である下方から順に、ピックアップロール４２及び捌きロール４４、シート搬送ロール４８、レジストロール５０、２次転写ロール５２、定着装置２６、そして排出ロール５４が設けられている。レジストロール５０は、搬送される用紙の先端部を一旦、停止させ、停止させた用紙の先端部を、所定のタイミングで２次転写ロール５２と中間転写ベルト３０との接触部に供給する。２次転写ロール５２は２次転写装置として用いられ、２次転写バイアスが印加され、中間転写ベルト３０に保持された現像剤像を用紙へと２次転写する。排出ロール５４は、定着装置２６によって現像剤像の定着がなされた用紙を排出部１６へと排出する。
【００２７】
図１に示される状態から、操作者が開閉扉１４０を開状態にする操作を行った場合、開閉扉１４０は、図２に示すように軸６０を中心に反時計回りに回転する。そして、開閉扉１４０の運動が連結部材６１を介して伝達されることで、転写ユニット１８は、開閉扉１４０の移動と連係して、軸６２が案内溝６３にそって移動しつつ、移動する軸６２を回転中心として反時計回りに回転する。しかし、開閉扉１４０は、詳細については後述するが連結部材１１０に設けられた規制部材１３０によって、反時計回りの回転が規制され、予め設定される開放角までしか開放されない。
【００２８】
解除部材としての連結部材１１０は、図３に示すように、回転軸１２０を支点に揺動可能に画像形成装置本体１２に支持されている。連結部材１１０の一端部１１０ａには規制部材１３０が設けられている。
【００２９】
規制部材１３０は、図４（ａ）に示すように、バネ（ねじりコイルバネ）１８０の一端部１８０ａが連結部材１１０に設けられた部材１１１に接触し、バネ１８０の他端部１８０ｂが規制部材１３０に設けられて部材１３１に接触している。また、規制部材１３０は、連結部材１１０に設けられた位置固定部１１２の位置で時計周りの回転が規制される。
【００３０】
これに対し、規制部材１３０は、図４（ｂ）に示すように、反時計回りに力を与えられた場合には、回転中心軸１３２を支点に反時計回りに回転する。さらに、規制部材１３０に対する時計回りの回転に対する規制を解除したときは、当該規制部材１３０は、バネ１８０の付勢力によって回転中心軸１３２を支点に時計周りに回転し、最終的に図４（ａ）に示すように位置固定部１１２の位置で固定される。
【００３１】
すなわち、規制部材１３０は、開閉扉１４０に設けられた突起部１５０と係合して当該開閉扉１４０の開放を規制する方向（時計回り）に対しては固定されるとともに（図４（ａ）参照）、開閉扉１４０の開放を規制する方向（時計回り）とは反対の方向（反時計回り）に対しては回転可能に付勢されている（図４（ｂ）参照）。
【００３２】
再度、図３を参照して説明する。開閉扉１４０の一端部１４０ａに設けられた回転軸部１４１には、規制部材１３０と係合して予め設定された開放角で規制する突起部１５０が設けられている。
【００３３】
連結部材１１０の他端部１１０ｂには、圧縮バネ１６０が規制部材１３０を突起部１５０から離れる方向に付勢している。そして連結部材１１０の他端部１１０ｂがプロセスカートリッジ１７０Ｋと係合し、かつプロセスカートリッジ１７０Ｋが画像形成装置本体１２に装着された状態においては、圧縮バネ１６０の付勢力に抗して連結部材１１０が規制位置に保持されている。
【００３４】
次に、操作者が、図５に示すように、複数の色（イエロー色、マゼンタ色、シアン色、ブラック色）の中で使用割合の最も高い色（ブラック色）の画像を形成するためのプロセスカートリッジ１７０Ｋを取り出すと、連結部材１１０が、圧縮バネ１６０の付勢力によって回転軸１２０を支点として反時計回りに回転することにより、規制部材１３０は、突起部１５０から外れる。これにより、開閉扉１４０は、さらに開放される。
【００３５】
第１の実施の形態では、イエロー色、マゼンタ色、シアン色、ブラック色のそれぞれの画像の中で、使用割合の最も高い色の画像はブラック色の画像であるとしている。そのため、ブラック色の画像を形成するためのプロセスカートリッジ１７０Ｋが、開閉扉１４０が当該開閉扉１４０の一端部１４０ａに設けられた回転軸部１４１を支点として開閉する場合の当該開閉扉１４０の他端部１４０ｂ側の最も開放側に位置する。
【００３６】
すなわち、解除部材としての連結部材１１０は、開閉扉１４０が当該開閉扉１４０の一方の側の回転軸部１４１を支点として開閉する場合の当該開閉扉１４０の他方の側（他端部１４０ｂ側）の最も開放側に対応して位置する一つのプロセスカートリッジが画像形成装置本体１２から取り出されたことに起因して規制部材１３０による規制を解除する。
【００３７】
図５に示すように開閉扉１４０が開放された状態で、操作者が新たなプロセスカートリッジ１７０Ｋを再装着すると、連結部材１１０は、図６に示すように、回転軸１２０を支点に時計回りに回転し、規制位置に復帰する。
【００３８】
この図６に示す状態から、操作者が開閉扉１４０を閉状態にすると（閉めると）、突起部１５０は図７（ａ）に示すように規制部材１３０と干渉する。しかし、規制部材１３０は図７（ｂ）に示すように回転中心軸１３２を支点に反時計回りに回転するので、開閉扉１４０は図８に示すように時計回り（閉める方向）に回転される。
【００３９】
この図８に示す状態から、さらに操作者が開閉扉１４０を閉状態にすると（閉めると）、規制部材１３０は、図７（ｃ）に示すように回転中心軸１３２を支点に反時計回りに回転する。これにより、開閉扉１４０は、図９に示すように、時計回り（閉める方向）に回転され、最終的な閉状態の位置まで回転される。
【００４０】
そして、開閉扉１４０が図９に示すように閉状態になった場合、規制部材１３０は、バネ１８０の付勢力により時計回りに回転し、図４（ａ）に示すように位置固定部１１２の位置で固定される。
【００４１】
（第２の実施の形態）
【００４２】
第２の実施の形態に係る画像形成装置は、図１に示した第１の実施の形態の画像形成装置１０と同様の構成になっている。
【００４３】
図１０は、第２の実施の形態の画像形成装置１０の概念を示している。図１０に示す画像形成装置１０は、図３に示した第１の実施の形態の画像形成装置において、連結部材１１０を連結部材２１０に変更した構成になっている。
【００４４】
解除部材としての連結部材２１０には、画像形成装置本体１２に固定された２つの支持軸２５０によって支持される２つの長穴部２６０が形成されている。また、連結部材１１０においては、一端部２１０ａには規制部材２２０が設けられているとともに他端部２１０ｂの側には２つのカム部２３０が設けられている。
【００４５】
規制部材２２０は図４に示した第１の実施の形態の規制部材１３０と同様の機能を有する。なお、図４において、連結部材１１０を連結部材２１０と読み替え、また規制部材１３０を規制部材２２０と読み替えるものとする。また、連結部材２１０には部材１１１および位置固定部１１２が設けられており、規制部材２２０には部材１３１および回転中心軸１３２が設けられている。
【００４６】
さらに、規制部材２２０と突起部１５０との関係は、図７に示した第１の実施の形態の規制部材１３０と突起部１５０との関係と同様になっている。なお、図７において、連結部材１１０を連結部材２１０と読み替え、また規制部材１３０を規制部材２２０と読み替えるものとする。
【００４７】
２つのカム部２３０は、プロセスカートリッジ１７０ＹおよびプロセスカートリッジＫのそれぞれが画像形成装置本体１２に装着される位置に対応して設けられ、プロセスカートリッジ１７０Ｙおよびプロセスカートリッジ１７０Ｋと係合されるようになっている。
【００４８】
４つのプロセスカートリッジ１７０Ｙ，１７０Ｍ、１７０Ｃ，１７０Ｋが画像形成装置本体１２に装着されていない場合、あるいは２つのプロセスカートリッジ１７０Ｙ，１７０Ｍが画像形成装置１２に装着されているものの、２つのプロセスカートリッジ１７０Ｃ，１７０Ｋが画像形成装置本体１２に装着されていない場合、連結部材２１０は、長穴部２６０の一端部２６０ａが支持軸２５０と接するまで連結部材２１０の長手方向に移動する。
【００４９】
これに対し、４つのプロセスカートリッジ１７０Ｙ，１７０Ｍ，１７０Ｃ，１７０Ｋが画像形成装置１２に装着された場合、連結部材２１０は、長穴部２６０の他端部２６０ｂが支持軸２５０と接するまで連結部材２１０の長手方向に移動する。図１０に示す例は、この状態を示す。
【００５０】
操作者が、開閉扉１４０を、画像形成装置本体１２に閉じられた状態から、図１０に示すように予め設定された開放角まで開放すると（開けると）、開閉扉１４０に設けられた突起部１５０が連結部材２１０に設けられた規制部材２２０と係合する。このときの開放角は、手前から２番目のプロセスカートリッジ１７０Ｃが取り出せるだけの角度に設定されている。開閉扉１４０は、図示しない付勢手段で開放方向に付勢されている。従って、開閉扉１４０は前記開放角まで開けられた状態で保持される。
【００５１】
図１０に示す状態から、操作者が手前のプロセスカートリッジ１７０Ｋおよび手前から２番目のプロセスカートリッジ１７０Ｃを取り外すと、連結部材２１０は、圧縮バネ２４０の付勢力によって、長穴部２６０の一端部２６０ａが支持軸２５０と接するまで連結部材２１０の長手方向に移動する。これにより、規制部材２２０が突起部１５０から外れ、開放扉１４０は、図１１に示すように、図１０に示す状態からさらに開放される。
【００５２】
すなわち、プロセスカートリッジ１７０Ｋおよびプロセスカートリッジ１７０Ｃが取り外されることで、開閉扉１４０の開放に対する規制が解除される。
【００５３】
図１１に示すように開閉扉１４０が開放された状態で、２つのプロセスカートリッジ１７０Ｃ，１７０Ｋを２つのカム部２３０に係合させるとともに画像形成装置本体１２に装着すると、連結部材２１０は、図１２に示すように、長穴部２６０の一端部２６０ｂが支持軸２５０と接するまで連結部材２１０の長手方向に移動する。このとき、連結部材２１０は、規制位置に復帰する。
【００５４】
この図１２に示す状態から、操作者が開閉扉１４０を閉めると、突起部１５０が規制部材２２０と干渉する（図７（ａ）参照）。しかし、規制部材２２０は回転中心軸１３２を支点に反時計回りに回転するので（図７（ｂ）参照）、開閉扉１４０は図１３に示すように時計回り（閉める方向）に回転される。
【００５５】
この図１３に示す状態から、さらに操作者が開閉扉１４０を閉めると、規制部材２２０は、回転中心軸１３２を支点に反時計回りに回転する（図７（ｃ）参照）。これにより、開閉扉１４０は、図１４に示すように、時計回り（閉める方向）に回転され、最終的な閉状態の位置まで回転される。
【００５６】
そして、開閉扉１４０が図１４に示すように閉状態になった場合、規制部材２２０は、バネ１８０の付勢力により時計回りに回転し、位置固定部１１２の位置で固定される（図４（ａ）参照）。
【００５７】
（第３の実施の形態）
【００５８】
第３の実施の形態に係る画像形成装置は、図１に示した第１の実施の形態の画像形成装置１０と同様の構成になっている。
【００５９】
第３の実施の形態は、第１の実施の形態の場合と比較して開閉扉１４０の開放にかかわる規制の解除の機構が異なっている。
【００６０】
すなわち、上記図３に示す状態において、画像形成装置本体１２の内部には、図１５に示すように、規制部材１３０による規制を解除するためのスイッチ３００が設けられている。スイッチ３００は操作者による押下に応じてオンまたはオフの状態になるように設定されている。
【００６１】
スイッチ３００がオフの状態においては、部材３３０は、圧縮バネ３２０の付勢力により回転軸３４０を支点に反時計回りに回転され、連結部材１１０を規制位置に固定している。
【００６２】
操作者がスイッチ３００を押下することによりスイッチ３００がオフからオンの状態に変化し、スイッチ３００に接続された部材３１０が下方に移動し、部材３３０が回転軸３４０を支点に時計回りに回転される。
【００６３】
これにより連結部材１１０は、回転軸１２０を支点に反時計回りに回転され、開閉扉１４０の開放にかかわる規制が解除される。その結果として、開閉扉１４０は、図３に示す状態から、例えば図５に示す状態や図６に示す状態の開閉角まで開放される。
【００６４】
なお、少なくともプロセスカートリッジ１７０Ｋが画像形成装置本体１２に装着された状態であっても、連結部材１１０は、上記規制位置から、開閉扉１４０が例えば図５に示す状態や図６に示す状態の開閉角まで開放されるように、反時計回りに回転可能になっている。
【００６５】
以上本発明者によってなされた発明を実施の形態に基づき具体的に説明したが、本明細書で開示された実施の形態はすべての点で例示であって、開示された技術に限定されるものではないと考えるべきである。すなわち、本発明の技術的な範囲は、前記の実施の形態における説明に基づいて制限的に解釈されるものでなく、あくまでも特許請求の範囲の記載に従って解釈されるべきであり、特許請求の範囲の記載技術と均等な技術および特許請求の範囲の要旨を逸脱しない限りにおけるすべての変更が含まれる。
【産業上の利用可能性】
【００６６】
本発明は、複写機、プリンタなどカラー画像を形成する画像形成装置に適用される。
【符号の説明】
【００６７】
１０  画像形成装置
１２  画像形成装置本体
１１０  連結部材
１３０  規制部材
１４０  開閉扉
１５０  突起部
１７０，１７０Ｙ，１７０Ｍ，１７０Ｃ，１７０Ｋ  プロセスカートリッジ
３００  スイッチ
【図１】
2010230936.tif 000003
【図２】
2010230936.tif 000004
【図３】
2010230936.tif 000005
【図４】
2010230936.tif 000006
【図５】
2010230936.tif 000007
【図６】
2010230936.tif 000008
【図７】
2010230936.tif 000009
【図８】
2010230936.tif 000010
【図９】
2010230936.tif 000011
【図１０】
2010230936.tif 000012
【図１１】
2010230936.tif 000013
【図１２】
2010230936.tif 000014
【図１３】
2010230936.tif 000015
【図１４】
2010230936.tif 000016
【図１５】
2010230936.tif 000017